(57)【特許請求の範囲】
【請求項１】
パネル同士を連結するためのものであって、
不使用時にパネル内に格納され使用時にパネルから外方へ引き出すことの可能な連結具と、パネル内に設けられ前記連結具の引出し端側を係わり合わせることの可能な係わり合い部とを具備してなり、前記連結具と前記係わり合い部の係わり合い操作及び係わり合い解除操作をパネルの外部から行い得るように構成しているとともに、
連結具及び係わり合い部を、各パネルの左右両側の側端を形成する側枠体内にそれぞれ設け、
各パネルに設けた係わり合い部が、同パネル側に設けた連結具の引出し位置においては該連結具の引出し端側をパネルの外部に引き出し得るとともに、格納位置においては連結する他方のパネル側の連結具の引出し端側と係わり合い得る開口であることを特徴とするパネルの連結装置。
【請求項２】
前記連結具と前記係わり合い部の係わり合い操作及び係わり合い解除操作をパネルの面方向と略平行な方向に沿って行い得るように構成していることを特徴とする請求項１記載のパネルの連結装置。
【請求項３】
連結具が、基端側をパネルに回転可能に支持され、引出し端側を格納位置と引出し位置との間でパネルの面方向に略沿った面内で回転可能とされているものであることを特徴とする請求項１又は２記載のパネルの連結装置。
【請求項４】
ねじの進退動作によりパネルの面方向に略沿って移動し、この移動動作により前記連結具の回転動作を駆動する駆動機構を具備してなることを特徴とする請求項３記載のパネルの連結装置。
【請求項５】
パネル同士を連結するためのものであって、
少なくとも一方のパネルに設けられ不使用時にパネル内に格納され使用時にパネルから外方へ引き出すことの可能な連結具と、少なくとも他方のパネル内に設けられ前記連結具の引出し端側を係わり合わせることの可能な係わり合い部とを具備してなり、前記連結具と前記係わり合い部の係わり合い操作及び係わり合い解除操作をパネルの外部から行い得るように構成し、
連結具が、基端側をパネルに回転可能に支持され、引出し端側を格納位置と引出し位置との間でパネルの面方向に略沿った面内で回転可能とされているものであり、
ねじの進退動作によりパネルの面方向に略沿って移動し、この移動動作により前記連結具の回転動作を駆動する駆動機構を具備してなり、
駆動機構が、前記連結具に設けた長孔に係わり合うピンを有した駆動リンクを具備してなり、この駆動リンクをねじにより昇降可能としていることを特徴とするパネルの連結装置。
【請求項６】
連結具が、パネルの面方向に沿った複数箇所に設けてあり、前記駆動機構が、これらの連結具を連動させてそれぞれ対応する係わり合い部に係わり合わせるものであることを特徴とする請求項４又は５記載のパネルの連結装置。
【請求項７】
駆動機構及び連結具が、パネルの側端を形成する側枠体内に設けてあることを特徴とする請求項４、５又は６記載のパネルの連結装置。
【請求項８】
側枠体が、外縦枠材と内縦枠材とから構成される２重構造をなすものであり、前記内縦枠材と、この内縦枠材に設けたピンと、前記連結具に設けられ前記ピンに係わり合う長孔とから駆動リンクを構成していることを特徴とする請求項７記載のパネルの連結装置。
【請求項９】
下向き鉤形のフック爪を有する上連結具と、上向き鉤形のフック爪を有する下連結具とを有し、前記駆動機構により上下連結具を連動させ、上下連結具のフック爪で係わり合い部を上下方向からくわえ込むように係わり合わせていることを特徴とする請求項６、７又は８記載のパネルの連結装置。
【発明の詳細な説明】
【０００１】
【発明の属する技術分野】
本発明は、オフィス等に配置されるパネルに適用して有用となるパネルの連結装置に関するものである。
【０００２】
【従来の技術】
現在、オフィス等でパーティションパネル等として一般的に利用されているパネルの構造としては、いわゆるブロックタイプと呼ばれるものと、一体型タイプと呼ばれる２種類のタイプがある。ブロックタイプのものは、パネル本体の骨格を形成する側枠部材及び水平枠材から構成される構造枠体と、この構造枠体の前後両面に取り付けられるパネル要素とを具備してなるものである。一方、一体型タイプは、ペーパハニカム等の芯材の前後面に化粧面材を貼着して構成したものである。
【０００３】
そして、前記ブロックタイプのパネル同士を面方向に連結する連結装置としては、パネルの側端面を形成する側枠部材の外側面に凹部を形成し、隣設するパネル同士の対向する凹部間に該凹部と嵌合する一対の凸部を有するダイキャスト製の連結部材を介在させ、この連結部材の凸部に設けたネジ孔に側枠部材の内側面から挿入したボルトを締結して、隣設するパネル同士を連結するようにするのが一般的である。
【０００４】
一方、一体型タイプのパネルを連結する連結装置としては、例えば、各パネルの縁部に予め掛け止め部を設けておき、突き合わせたパネルの縁部間に、普段はパネルに付帯していない連結具を掛け渡して、その連結具の端部を各々対応するパネルの掛け止め部に係わり合わせ、これによりパネル同士の連結を実現するようにしているものがある。
【０００５】
【発明が解決しようとする課題】
しかしながら、前述したブロックタイプのパネルにおいて連結作業や連結解体作業を行う際には、都度、パネル要素を構造枠体から取り外して作業を行わねばならないという不具合があった。さらに、この連結装置は、簡易且つ低コストで実現できるものではあるが、パネル要素を取り外して構造枠体同士を内部から連結するものであるため、一体型タイプのパネルの連結には適用できないものであった。特に、このような連結装置であると、３枚以上のパネルを面方向に連続させて連結したものにおいて、両側に他のパネルを連結した真中のパネルだけを中抜きしたい場合には、ボルトをネジ孔から取り外しても、連結部材の凸部が側枠部材の凹部に係合しているためパネルを厚み方向に移動することができない。すなわち、この凹凸係合を解除するには、どちらか一方側のパネルを全て面方向にずらさねばならず、複数の面方向に連続させたパネルから真中の１枚だけを抜き取る中抜き作業が非常に煩雑となるものであった。
【０００６】
一方、一体型タイプのパネルの連結装置も、パネルの中抜き作業を行う際には、端部に設けたパネルから順番に取り外さねば下端部側の連結フックの連結を解除することができず、パネルの中抜き作業は非常に煩雑さを伴うものであった。
【０００７】
また、前述したようなブロックタイプ、一体型タイプの連結装置は共に、パネル同士が連結されていないときに連結具が不要となり、部品管理を徹底しておかないと必要なときに紛失して連結ができなくなるという不都合を生ずる。これに対して、連結具を使用していないときに、その連結具を前記掛け止め部を覆うカバーとして兼用する態様も考えられるが、着脱式ではやはりパネルから離れ得るため紛失の恐れがあり、またこのような兼用は連結具の形状等に大巾な制約を課すため設計上好ましくない。一方、連結具を採用せず、パネルの縁部間を単に面テープを使って貼り合わせておくだけで対応することも不可能ではないが、これでは連結強度に不安が残る上に、見栄えも悪く、衣類の一部が面テープに付着することにより棄損を招く恐れも高くなる。
【０００８】
【課題を解決するための手段】
上記の問題点を解消するために、本発明は、連結具を使用して確実にパネル同士を連結できるようにし、しかもその連結具を、使用時、不使用時を問わず、常にパネルに付帯させておくことができるようにした連結装置を提供しようとするものである。さらに、前記連結具と係わり合い部の係わり合い操作及び解除操作をパネルの外部から行い得るようにし、作業の利便性を図ると共にブロックタイプ、一体型タイプのパネルに共通して利用できるような構成としている。
【０００９】
【発明の実施の形態】
すなわち、本発明に係るパネルの連結装置は、パネル同士を連結するためのものであって、不使用時にパネル内に格納され使用時にパネルから外方へ引き出すことの可能な連結具と、パネル内に設けられ前記連結具の引出し端側を係わり合わせることの可能な係わり合い部とを具備してなり、前記連結具と前記係わり合い部の係わり合い操作及び係わり合い解除操作をパネルの外部から行い得るように構成しているとともに、連結具及び係わり合い部を、各パネルの左右両側の側端を形成する側枠体内にそれぞれ設け、各パネルに設けた係わり合い部が、同パネル側に設けた連結具の引出し位置においては該連結具の引出し端側をパネルの外部に引き出し得るとともに、格納位置においては連結する他方のパネル側の連結具の引出し端側と係わり合い得る開口であることを特徴とするものである。
【００１０】
このように構成すれば、連結具は、通常の単独使用時やパネル自体が使われない収納時にはパネル内に格納され、連結を要するときは随時パネル内から引き出して使用することができるので、常にパネルに付帯させておくことができ、これにより部品管理を不要にして紛失の恐れを解消するとともに、面テープ等に比べて確実な連結状態を実現することが可能となる。さらに、連結及び連結解除操作をパネルの外部から行うことができるので、ブロックタイプのパネルの場合でも、パネル要素を取り付けた状態で連結及び連結解除を行うことができる。また、ブロックタイプ、一体型タイプ共にこの連結装置を適用することが可能となる。
【００１１】
さらに、連結具及び係わり合い部を、各パネルの左右両側の側端を形成する側枠体内にそれぞれ設けているので、任意のパネル同士を好適に連結することができる。
【００１２】
各パネルに設けた係わり合い部が、同パネル側に設けた連結具の引出し位置においては該連結具の引出し端側をパネルの外部に引き出し得るとともに、格納位置においては連結する他方のパネル側の連結具の引出し端側と係わり合い得る開口であるので、連結具を引出し位置に引き出すために設けた開口を他方のパネル側の連結具と係わり合う係わり合い部として兼用することができ、別途係わり合い部を設ける場合に比べて加工工数の削減を図ることが可能となる上、パネルのデザインもシンプル化することが可能となる。
【００１３】
この場合の好適な実施の形態としては、前記連結具と前記係わり合い部の係わり合い操作及び係わり合い解除操作をパネルの面方向と略平行な方向に沿って行い得るように構成しているものが挙げられる。
【００１４】
連結具の具体的な出し入れの形態としては、連結具が、基端をパネルに回転可能に支持され、引出し端側を格納位置と引出し位置との間でパネルの面方向に略沿った面内で回転可能とされているものが挙げられる。
【００１５】
パネルの連結操作及び解除操作を容易なものとし得るには、ねじの進退動作によりパネルの面方向に略沿って移動し、この移動動作により前記連結具の回転動作を駆動する駆動機構を具備していることが望ましい。
【００１６】
簡単な構成で、駆動リンクの移動動作を連結具の回転動作に変換することが可能にするための本発明の実施の形態として、パネル同士を連結するためのものであって、少なくとも一方のパネルに設けられ不使用時にパネル内に格納され使用時にパネルから外方へ引き出すことの可能な連結具と、少なくとも他方のパネル内に設けられ前記連結具の引出し端側を係わり合わせることの可能な係わり合い部とを具備してなり、前記連結具と前記係わり合い部の係わり合い操作及び係わり合い解除操作をパネルの外部から行い得るように構成し、連結具が、基端側をパネルに回転可能に支持され、引出し端側を格納位置と引出し位置との間でパネルの面方向に略沿った面内で回転可能とされているものであり、ねじの進退動作によりパネルの面方向に略沿って移動し、この移動動作により前記連結具の回転動作を駆動する駆動機構を具備してなり、駆動機構が、前記連結具に設けた長孔に係わり合うピンを有した駆動リンクを具備してなり、この駆動リンクをねじにより昇降可能としていることを特徴とするものが挙げられる。
【００１７】
１度の作業でパネルの複数箇所の連結或いは連結解除を実現し、連結作業の大幅な簡略化を図ることを可能とするには、連結具が、パネルの面方向に沿った複数箇所に設けてあり、前記駆動機構が、これらの連結具を連動させてそれぞれ対応する係わり合い部に係わり合わせるものであることが望ましい。
【００１８】
好適な実施の形態としては、駆動機構及び連結具が、パネルの側端を形成する側枠体内に設けてあるものが挙げられる。
【００１９】
さらに、この場合の好適な実施の形態としては、側枠体が、外縦枠材と内縦枠材とから構成される２重構造をなすものであり、前記内縦枠材と、この内縦枠材に設けたピンと、前記連結具に設けられ前記ピンに係わり合う長孔とから駆動リンクを構成しているものが挙げられる。
そして、上下方向へのパネルの位置ずれを有効に防止するには、下向き鉤形のフック爪を有する上連結具と、上向き鉤形のフック爪を有する下連結具とを有し、前記駆動機構により上下連結具を連動させ、上下連結具のフック爪で係わり合い部を上下方向からくわえ込むように係わり合わせていることが望ましい。
【００２０】
【実施例】
以下、本発明の実施例を、図面を参照して説明する。
【００２１】
図１及び図２に示す連結装置Ａは、パーティションパネル等と称されるパネル１同士を連結するために、各パネル１に連結具２を設け、この連結具２が、不使用時にパネル１内に格納され、使用時にパネル１から外方へ引き出して使用し得るように取り付けられているとともに、各パネル１に、前記連結具２の引出し端２ａ側を係わり合わせることのできる係わり合い部たる開口３を設けたものである。
【００２２】
パネル１は、左右両側に側端を形成する側枠体４を有し、この側枠体４同士を突き合わせるようにして面一に配置可能なものである。具体的には、このパネル１は、ブロックタイプと呼ばれるもので、前記左右の側枠体４と、これら両側枠体４を結合する水平枠材１１と、これら前記水平枠材１１の前後両面にそれぞれ添え設けたパネル要素１２とを具備している。なお、この要素１２は、図１以外の図面では、省略している。
【００２３】
このような構成のものにおいて、本実施例では、図１〜図５に示すように、各パネル１の側枠体４の上下両端近傍に連結具２Ａ、２Ｂを水平軸５回りに略鉛直面内で回転可能に取り付け、これらの連結具２Ａ、２Ｂのうち一方のパネル１の連結具２Ａ、２Ｂを、他方のパネル１の対応位置に設けた前記開口３にほぼ上下方向（鉛直方向）から係わり合わせるように構成するようにしている。なお、本実施例では、パネル１の上下両端近傍に連結具２Ａ、２Ｂを設けており、以下、パネル１の上端近傍に設けた連結具を上連結具２Ａとし、下端近傍に設けた連結具を下連結具２Ｂとして説明を行う。さらに、本実施例では、ねじ６の進退動作によりパネル１の面方向（本実施例では鉛直方向）に略沿って移動し、この移動動作により前記上下連結具２Ａ、２Ｂの回転動作を駆動する駆動機構７を具備しており、この駆動機構７により上下連結具２Ａ、２Ｂを連動させて略同時に開口３に係わり合わせるようにしている。また、本実施例では、前記駆動機構７及び上下連結具２Ａ、２Ｂを側枠体４の内部に設けるようにしている。
【００２４】
以下、各部の構成について説明する。
【００２５】
側枠体４は、２重構造をなすもので、パネル１の上下寸法に略等しい上下寸法を有する外縦枠材４１と、この外縦枠材４１の内部に設けた前記外縦枠材４１よりも短い上下寸法を有し鉛直方向に移動可能な内縦枠材４２とから構成されている。
【００２６】
外縦枠材４１は、その外側面側に上端から下端まで鉛直方向に延出する凹溝４１１を有している略角柱状のものである。さらに、この外縦枠材４１は、上端部側に、前後壁間に架け設けた軸部４１２を有している。
【００２７】
内縦枠材４２は、前記外縦枠材４１の内部に設けたものであり、外側面側に上端から下端まで鉛直方向に延出する開口４２１を有している略角柱状のものである。この内縦枠材４２は、上端部側に、前後壁間に架け設けた軸部４２２を有している。
【００２８】
上連結具２Ａは、前記側枠体４の内縦枠材４２内に設けてあるもので、その基端側である外下端部側を前記外縦枠材４１及び内縦枠材４２の前後壁間に架け設けた水平軸５に回転可能に支持され、引出し端２ａ側を格納位置Ｐ（図４参照）と引出し位置Ｑ（図５参照）との間で鉛直面内で回転可能とされているものである。具体的には、この上連結具２Ａは、引出し端２ａ側に下向鉤形のフック爪２１を有し、水平軸５による取付部分を越えて反引出し端側に略Ｌ字状の長孔２２が設けてあるものである。
【００２９】
下連結具２Ｂも、前述した上連結具２Ａと同様に、前記側枠体４の内縦枠材４２内に設けてあるもので、その基端側である内下端部側を前記外縦枠材４１及び内縦枠材４２の前後壁間に架け設けた水平軸５に回転可能に支持され、引出し端２ｃ側を格納位置Ｐ（図４参照）と引出し位置Ｑ（図５参照）との間で鉛直面内で回転可能とされているものである。具体的には、この下連結具２Ｂは、引出し端２ｃ側に上向鉤形のフック爪２３を有し、このフック爪２３と水平軸５による取付部分との間に略Ｌ字状の長孔２４が設けてあるものである。
【００３０】
駆動機構７は、ねじ６により昇降駆動可能な駆動リンク７１を前記外縦枠材４１内に配置して構成される。本実施例では、前記駆動リンク７１を、内縦枠材４２と、この内縦枠材４２の上下端近傍の前後壁に架け設けた上下ピン７２、７３と、これら上下ピン７２、７３とそれぞれ係わり合う前記上下連結具２Ａ、２Ｂに設けた両長孔２２、２４とから構成するようにしている。
【００３１】
ねじ６は、前記外縦枠材４１の軸部４１２の軸心方向略中央位置に設けたねじ挿入孔４１３を介して挿入され、その頭部６ａを前記軸部４１２の上面に添え設けた状態で回転可能に保持されている。なお、前記軸部４１２は、その上面が略水平状態となるように構成されている。前記ねじ６のねじ軸６ｂには、前記内縦枠材４２の軸部４２２に設けた雌ねじ孔４２３がねじ作用を利用して嵌合しており、前記ねじ６を六角レンチＲ等を利用して回転させることにより、前記雌ねじ孔４２３は前記ねじ軸６ｂに対して鉛直方向にねじ送りされる。このねじ送り作用により、前記雌ねじ孔４２３を設けた軸部４２２を有する内縦枠材４２は、鉛直方向に移動可能となる。すなわち、本実施例では、前記駆動機構７により、ねじ６を締めたときに両連結具２Ａ、２Ｂの引き出し端２ａ、２ｃを引出し、ねじ６を緩めたときに両連結具２Ａ、２Ｂを側枠体４内に格納できるようにしている。具体的には、ねじ６を締める方向に回転させると、図４に示すように、内縦枠材４２が実線で示す位置から想像線で示す位置まで上昇し、該内縦枠材４２に設けた上下ピン７２、７３が上連結具２Ａ及び下連結具２Ｂの長孔２２、２４の上縁を押し上げるため、上下連結具２Ａ、２Ｂは、水平軸５を介してその引出し端２ａ、２ｃが側枠体４から引き出される方向に回転する。一方、逆にねじ６を緩める方向に回転させると、内縦枠材４２が想像線で示す位置から実線で示す位置まで下降し、該内縦枠材４２に設けた上下ピン７２、７３が上連結具２Ａ及び下連結具２Ｂの長孔２２、２４の下縁を押し下げるため、上下連結具２Ａ、２Ｂは、水平軸５を介してその引出し端２ａ、２ｃが側枠体４内に格納される方向に回転する。
【００３２】
なお、外縦枠材４１は、前記上下連結具２Ａ、２Ｂの引出し端２ａ、２ｃが側枠体４の外部へ引き出されるように、その外側面の対応位置に開口３を有している。そして、本実施例では、引出し位置Ｑにおいて、他方のパネル１側のこの開口３に、一方のパネル１側の上連結具２Ａのフック爪２１を上方から、下連結具２Ｂのフック爪２３を下方から係わり合わせるようにしている。また、この引出し位置Ｑでは、上下連結具２Ａ、２Ｂの反引出し端側に設けた突部２４、２５が、外縦枠材４１の内側面に設けた開口部４１４に係わり合って位置決めされる。
【００３３】
さらに、本実施例では、上下連結具２Ａ、２Ｂが回転する際に外縦枠材４１及び内縦枠材４２の内側面との干渉を避け得るように、対応位置に開口部４１５、４２４を設けている。
【００３４】
次に、この連結装置Ａを利用して、隣設するパネル１を連結する場合の手順について説明する。
【００３５】
先ず、図４に示すように、各パネル１の隣設する側枠体４同士を突き合わせるようにして面一に配置する。この状態では、各側枠体４内の上下連結具２Ａ、２Ｂは、図４中実線に示すように、側枠体４内に格納されている。この状態から何れか一方側のパネル１のねじ６をパネル１の上方から挿入した六角レンチＲ等を使って締めると、このねじ６にねじ作用を利用して嵌合している雌ねじ孔４２３がねじ送りされ、内縦枠材４２は、図４中想像線で示すように上昇する。この内縦枠材４２の上昇に伴って、該内縦枠材４２に設けた上下ピン７２、７３が上連結具２Ａ及び下連結具２Ｂの長孔２２、２４の上縁を押し上げるため、上下連結具２Ａ、２Ｂは、水平軸５を介してその引出し端２ａ、２ｃが側枠体４から引き出される方向に回転し、上下連結具２Ａ、２Ｂのフック爪２１、２３は、図５に示すように、他方のパネル１の開口３に係わり合う。なお、この場合、ねじ６を締めた際に下取付具２Ｂが先に所定引出位置に到達した後、やや後れて上取付具２Ａが所定引出位置に到達するように構成しておけば、開口３に係わり合う動作をスムーズに行わせることができる。
【００３６】
一方、パネル１の連結を解除したい場合には、ねじ６を緩める方向に回転させると、内縦枠材４２が図４中想像線で示す位置から実線で示す位置まで下降し、該内縦枠材４２に設けた上下ピン７２、７３が上連結具２Ａ及び下連結具２Ｂの長孔２２、２４の下縁を押し下げるため、上下連結具２Ａ、２Ｂは、水平軸５を介してその引出し端２ａ、２ｃが側枠体４内に格納される方向に回転し、図４中実線で示すように側枠体４内に格納され、パネル１の連結は解除される。
【００３７】
このような構成のものであると、連結具２を、通常の単独使用時やパネル１自体が使われない収納時にパネル１内に格納しておき、連結を要するときのみ随時パネル１内から引き出して使用することができる。また、着脱式とせずに常にパネル１に付帯させておくようにしたため、部品管理を不要にして紛失の恐れを解消することができ、また面テープ等により連結する場合に比べて遙かに確実な連結状態を実現することが可能となる。さらに、連結及び連結解除操作をパネル１の上方から面方向に略沿って行うことができるので、本実施例のようなブロックタイプのパネル１の場合でも、パネル要素１２を取り付けた状態で連結及び連結解除を行うことができる。また、ブロックタイプと同様に、一体型タイプのパネルにも、この連結装置を適用することが可能となる。さらに、上述したような構成であると、本実施例のように、パネル１の面方向に略沿った位置に複数個連結具２を配置して各パネル１を連結する場合に、複数の連結具２Ａ、２Ｂを連動させて開口３に係わり合わせる構造も比較的簡単な構成で実現することができ、１度の作業でパネルの複数箇所の連結或いは連結解除を実現し、連結作業の大幅な簡略化を図ることが可能となる。
【００３８】
特に、連結具２及び開口３を、各パネル１毎にそれぞれ設けているため、例えば連結具２のみを有したパネルと開口３のみを有したパネルとを組み合わせる場合に比べて、同種のパネル同士であるため連結できないといった不都合がなく、多数のパネル１の中から任意のものを抽出して相互に不都合なく連結することができる。
【００３９】
さらに、このように連結具２及び係わり合い部を各パネル１毎に設けている場合に、各パネル１に設けた係わり合い部が、同パネル１側に設けた連結具２の引出し位置Ｑにおいては該連結具２の引出し端２ａ、２ｃ側をパネル１の外部に引き出し得るとともに、格納位置Ｐにおいては連結する他方のパネル１側の連結具１の引出し端２ａ、２ｃ側と係わり合い得る開口３であるならば、連結具２を引出し位置に引き出すために設けた開口２を他方のパネル１側の連結具２と係わり合う係わり合い部として兼用することができるので、別途係わり合い部を設ける場合に比べて加工工数の削減を図ることが可能となる上、パネルのデザインもシンプル化することが可能となる。
【００４０】
また、連結具２は、基端を回転可能に支持し、引出し端２ａ、２ｃ側を格納位置Ｐと引出し位置Ｑとの間で鉛直面内で回転可能としたものであるため、簡便な操作を通じてパネル１の組み立て、分解が可能になるとともに、予めパネル１同士を突き合わせた状態で連結及び連結解除の操作を行うことができるので、位置決めが容易であり、複数連結されたパネル１の中から一部のパネル１のみを中抜きする様なことも不都合なく行うことができる。さらに、パネル同士を突き合わせた状態での連結及び連結解除の操作が行えることで、位置決めを容易にし、また中抜きも有効に行うことでレイアウト変更等に有効に対応することが可能になる。
【００４１】
ねじ６の進退動作によりパネル１の面方向に略沿って移動し、この移動動作により前記連結具２Ａ、２Ｂの回転動作を駆動する駆動機構７を具備してなるので、比較的小さな操作力且つ簡単な操作でパネル１の連結或いは連結解除操作を行うことができる。
【００４２】
駆動機構７が、前記連結具２に設けた長孔２２、２４に係わり合うピン７２、７３を有した駆動リンク７１を具備してなり、この駆動リンク７１をねじ６により昇降可能としているので、簡単な構成で、駆動リンク７１の移動動作を連結具２の回転動作に変換することが可能となる。
【００４３】
連結具２が、パネル１の鉛直方向に沿った複数箇所に設けてあり、前記駆動機構７が、これらの連結具２を連動させてそれぞれ対応する開口３に係わり合わせるものであるので、１度の作業でパネル１の複数箇所の連結或いは連結解除を実現し、連結作業の大幅な簡略化を図ることが可能となる。
【００４４】
連結具２が引出し端２ａ、２ｃ側にフック爪２１、２３を有するものであり、係わり合い部が前記フック爪２１、２３と係わり合う開口３であるので、極めて簡素な構造によって確実且つ安定した連結状態が得られるものである。また、本実施例のような構成のものであると、駆動リンク７１を利用して、上下連結具２のフック爪２１、２３を開口３に上下方向からくわえ込むように連動させて係わり合わせているので、上下方向へのパネルの位置ずれを有効に防止することができる。
【００４５】
駆動機構７及び連結具２が、パネル１の側端を形成する側枠体４内に設けてあるので、前記側枠体４内に格納位置Ｐにある連結具２を好適に収容しておくことができ、パネル本体側に別途に格納場所を確保する必要がなく、既存のパネルにも比較的簡単に適用することができる。また、ブロックタイプ、一体型タイプ共にこの連結装置を適用することが可能となる。
【００４６】
側枠体４が、外縦枠材４１と内縦枠材４２とから構成される２重構造をなすものであり、前記内縦枠材４２を利用して駆動リンク７１を構成しているので、側枠体４を２重構造にして一定の強度を付与することが可能となる。また、通常、パネル１を構成する枠材は、内部が中空のものが多く、外縦枠材４１内に内縦枠材４２を、内縦枠材４２内に格納位置Ｐにある連結具２を内部に好適に収容しておくことができ、パネル本体側に別途に格納場所を確保する必要がない。したがって、既存のパネルにも比較的簡単に適用することができる。
【００４７】
なお、本発明の構成は、上述したものに限定されず、以下のような構成のものであってもよい。
【００４８】
以下、一変形例について図６及び図７を参照して説明する。
【００４９】
このものは、図６に示すように、一方のパネル２０１Ｘの上下両端近傍に連結具２０２ａ、２０２ｂを水平軸２００回りに回転可能に取り付け、これらの連結具２０２ａ、２０２ｂを、図７に示す他方のパネル２０１Ｙの対応位置に設けた係わり合い部２０３ａ、２０３ｂにほぼ上下方向（鉛直方向）から係わり合わせるように構成することもできる。図示例の場合、上連結具２０２ａは引出し端側に下向鉤形のフック爪２１２ａを有し、水平軸２００による取付部分を越えて反引出し端側に長孔２２２ａが設けてあり、また下連結具２０２ｂは引出し端側に上向鉤形のフック爪２１２ｂを有し、このフック爪２１２ｂと水平軸２００による取付部分との間に長孔２２２ｂが設けてある。そして、両長孔２２２ａ、２２２ｂにそれぞれ係わり合うピン２３０ａ、２３０ｂを有した駆動リンク２３０をパネル２０１Ｘ内に配置してねじ２４０により昇降駆動可能として、ねじ２４０を締めたときに両連結具２０２ａ、２０２ｂを引出し、ねじ２４０を緩めたときに両連結具２０２ａ、２０２ｂをパネル２０１Ｘ内に格納できるようにしている。また、他方のパネル２０１Ｙの係わり合い部２０３ａ、２０３ｂは、前記上連結具２０２ａのフック爪２１２ａが上方から係わり合い、下連結具２０２ｂのフック爪２１２ｂが下方から係わり合う位置に逆Ｌ字の突起状をなして設けられているものである。このようにパネル内に連結具や駆動リンクを設けるように構成しても、部品管理が不要となる点では上記各実施例と基本的に同様の作用効果が奏されるものである。また、駆動リンクを利用して、上下連結具２０２ａと２０２ｂのフック爪２１２ａ、２１２ｂで係わり合い部２０３ａ、２０３ｂとを上下方向からくわえ込むように連動させて係わり合わせているので、上下方向へのパネルの位置ずれを有効に防止することができる。
【００５０】
なお、この例の場合、ねじ２４０を締めた際に下取付具２０２ｂが先に所定引出位置に到達した後、やや後れて上取付具２０２ａが所定引出位置に到達するように構成しておけば、係わり合い部２０３ａ、２０３ｂに係わり合う動作をスムーズに行わせることができる。
【００５１】
その他の構成も本発明の趣旨に逸脱しない範囲で種々変形が可能なものである。
【００５２】
【発明の効果】
本発明は、以上説明したような形態で実施され、以下に記載されるような効果を奏する。
【００５３】
すなわち、本発明に係るパネルの連結装置は、パネル同士を連結するに際して、各パネルに出し入れ可能に連結具を設け、この連結具を引き出した状態で相手形のパネル内に設けた係わり合い部に係わり合わせることができるようにしたものであるので、連結具を常にパネルに外れ得ないように付帯させて部品管理の必要なしに紛失の恐れを解消することができ、必要なときには速やかに引き出してパネル間の連結を確実に行うことが可能となる。また、前記連結具と前記係わり合い部の係わり合い操作及び係わり合い解除操作をパネルの外部から行い得るように構成しているので、ブロックタイプのパネルの場合でも、パネル要素を取り付けた状態で連結及び連結解除を行うことができる上、ブロックタイプ、一体型タイプ共に適用することができる。
【００５４】
さらに、連結具及び係わり合い部を、各パネルの左右両側の側端を形成する側枠体内にそれぞれ設けているので、全く同じ構造のパネル同士を任意に組み合わせて連結することができ、組み合わせに制約がある場合に比べて連結の自由度を高めることができる。
【００５５】
さらに、このように連結具及び係わり合い部を各パネル毎に設けている場合に、各パネルに設けた係わり合い部が、同パネル側に設けた連結具の引出し位置においては該連結具の引出し端側をパネルの外部に引き出し得るとともに、格納位置においては連結する他方のパネル側の連結具の引出し端側と係わり合い得る開口であるので、連結具を引出し位置に引き出すために設けた開口を他方のパネル側の連結具と係わり合う係わり合い部として兼用することができ、別途係わり合い部を設ける場合に比べて加工工数の削減を図ることが可能となる上、パネルのデザインもシンプル化することが可能となる。
【００５６】
また、前記連結具と前記係わり合い部の係わり合い操作及び係わり合い解除操作をパネルの面方向と略平行な方向に沿って行い得るように構成しているならば、パネルの面方向に略沿った位置に複数個連結具を配置して各パネルを連結する場合に、複数の連結具を連動させて係わり合い部に係わり合わせる構造も比較的簡単な構成で実現することができ、１度の作業でパネルの複数箇所の連結或いは連結解除を実現し、連結作業の大幅な簡略化を図ることが可能となる。
【００５７】
また、連結具が、基端をパネルに回転可能に支持され、引出し端側を格納位置と引出し位置との間でパネルの面方向に略沿った面内で回転可能とされているならば、簡便な操作を通じてパネルの組み立て、分解が可能になるとともに、パネル同士を突き合わせた状態でも連結及び連結解除の操作ができ、位置決めが容易になるとともに、連結状態からの中抜きも不都合なく行うことができるなど、組み立て、解体に極めて便利なものとなり得る。さらに、パネル同士を突き合わせた状態での連結及び連結解除の操作が行えることで、位置決めを容易にし、また中抜きも有効に行うことでレイアウト変更等に有効に対応することが可能になる。
【００５８】
ねじの進退動作によりパネルの面方向に略沿って移動し、この移動動作により前記連結具の回転動作を駆動する駆動機構を具備してなるならば、比較的小さな操作力且つ簡単な操作でパネルの連結或いは連結解除操作を行うことができる。
【００５９】
駆動機構が、前記連結具に設けた長孔に係わり合うピンを有した駆動リンクを具備してなり、この駆動リンクをねじにより昇降可能としているならば、簡単な構成で、駆動リンクの移動動作を連結具の回転動作に変換することが可能となる。
【００６０】
連結具が、パネルの面方向に沿った複数箇所に設けてあり、前記駆動機構が、これらの連結具を連動させてそれぞれ対応する係わり合い部に係わり合わせるものであるならば、１度の作業でパネルの複数箇所の連結或いは連結解除を実現し、連結作業の大幅な簡略化を図ることが可能となる。
【００６１】
駆動機構及び連結具が、パネルの側端を形成する側枠体内に設けてあるならば、前記側枠体内に格納位置にある連結具を好適に収容しておくことができるので、パネル本体側に別途に格納場所を確保する必要がなく、既存のパネルにも比較的簡単に適用することができる。また、ブロックタイプ、一体型タイプ共に適用することが可能となる。
【００６２】
側枠体が、外縦枠材と内縦枠材とから構成される２重構造をなすものであり、前記内縦枠材と、この内縦枠材に設けたピンと、前記連結具に設けられ前記ピンに係わり合う長孔とから駆動リンクを構成しているならば、側枠体を２重構造にして一定の強度を付与することが可能となる。また、通常、パネルを構成する枠材は、内部が中空のものが多く、外縦枠材内に内縦枠材を、内縦枠材内に格納位置にある連結具を内部に好適に収容しておくことができ、パネル本体側に別途に格納場所を確保する必要がない。したがって、既存のパネルにも比較的簡単に適用することができる。
下向き鉤形のフック爪を有する上連結具と、上向き鉤形のフック爪を有する下連結具とを有し、前記駆動機構により上下連結具を連動させ、上下連結具のフック爪で係わり合い部を上下方向からくわえ込むように係わり合わせているものであれば、上下方向へのパネルの位置ずれを有効に防止することができる。
【図面の簡単な説明】
【図１】本発明の一実施例をパネルに適用した状態を示す斜視図。
【図２】同実施例における要部拡大斜視図。
【図３】同平面図。
【図４】同作用を説明するための図３に対応するＩ−Ｉ線断面図。
【図５】同図３に対応するＩ−Ｉ線断面図。
【図６】同本実施例の一変形例を示す模式的な図。
【図７】同変形例の作用説明図。
【符号の説明】
１…パネル
２…連結具
２Ａ…上連結具
２Ｂ…下連結具
２ａ、２ｃ…引出し端
２１、２３…フック爪
２２、２４…長孔
３…凹部（開口）
４…側枠体
４１…外縦枠材
４２…内縦枠材
６…ねじ
７…駆動機構
７１…駆動リンク
７２、７３…ピン（上ピン、下ピン）
Ａ…連結装置
Ｐ…格納位置
Ｑ…引出し位置
【図１】
0003660960.tif 000002
【図２】
0003660960.tif 000003
【図３】
0003660960.tif 000004
【図４】
0003660960.tif 000005
【図５】
0003660960.tif 000006
【図６】
0003660960.tif 000007
【図７】
0003660960.tif 000008